(57)【要約】【課題】横臥姿勢で使用することにより、特に睡眠中などに使用することにより頭部に加えられる指圧効果で頭部の血行が促進され、育毛効果がある育毛用枕を提供する。【解決手段】育毛用枕９は、枕本体１の中央部分に凹部２が形成されていて、凹部２の表面には多数の指状指圧体３が間隔を隔てて立設されている。また、指状指圧体３は軟質の樹脂などの弾性部材で形成されており、その先端は丸みをおびた指状である。従って、睡眠中など、横臥姿勢で頭部を枕の凹部２に載せておくことにより頭部が指状指圧体３によって押圧され指圧効果が得られ、血行が促され、育毛効果が得られる。【選択図】図１
2004321557.tif 000002
【特許請求の範囲】
【請求項１】
頭部が収納保持される凹部をもつ枕本体と、
該凹部の表面に互いに間隔を隔てて立設された多数の指状指圧体と、
を有することを特徴とする育毛用枕。
【請求項２】
前記枕本体は硬質である請求項１記載の育毛用枕。
【請求項３】
前記指状指圧体は少なくとも前記枕本体の対して傾動可能な軟質である請求項１又は請求項２記載の育毛用枕。
【請求項４】
前記指状指圧体は先端部分が三つ又状に分岐し、その先端が指圧端部となる三つ又指圧部分と該凹部の表面より突出し、該三つ又指圧部分を傾動自在に保持する基端部分とからなる請求項１又は請求項２記載の育毛用枕。
【請求項５】
前記基端部分は軟質である請求項４記載の育毛用枕。
【請求項６】
少なくとも頭部を支える支持面をもつ本体部と、
該支持面に互いに間隔を隔てて多数立設された先端部分が三つ又状に分岐し、その先端が指圧端部となる三つ又指圧部分と該支持面より突出し、該三つ又指圧部分を傾動自在に保持する基端部分とからなる指圧部と、
を有することを特徴とする育毛用枕。
【請求項７】
前記本体部は硬質の板状である請求項６記載の育毛用枕。
【請求項８】
前記本体部は軟質のシート状である請求項６記載の育毛用枕。
【請求項９】
前記基端部分は軟質である請求項６記載の育毛用枕。
【発明の詳細な説明】
【０００１】
【発明の属する技術分野】
本発明は育毛用枕に係わり、特に睡眠時の横臥姿勢で枕として用いることにより頭部に指圧効果が得られて育毛効果のある育毛用枕に関する。
【０００２】
【従来の技術】
従来、毛髪の育毛に関しては、様々な方法が提案されているがその方法は主として育毛剤や養毛剤によるものが多い。
例えば、特許文献１には、就寝中に育毛を促進させることができるという育毛枕が開示されている。
特許文献１の育毛枕は、枕カバーと枕心材とから構成されていて、枕カバーに孟宋竹から抽出した竹エキスを含有させたり、あるいは磁性体や火山灰堆積岩小塊を装着させている。また、枕心材には乾留竹粉を含有させることで就寝中に上記の含有物あるいは装着物の効用により頭部の育毛を促進させるというものである。
また、その他様々の枕が提案されているが、主として快適な睡眠が得られるようにすることを目的としており、育毛を促進する枕は上記の枕以外には開示されていない。
【０００３】
【特許文献１】
特開平１０ー５７２１３号公報
【０００４】
【発明が解決しようとする課題】
しかしながら、特許文献１の育毛枕は、前述のように竹エキス、磁性体、あるいは火山灰堆積岩小塊の作用により育毛を促すというもので指圧効果という点からはほとんど期待できない。
また、上記の物質等は長期間使用した場合、その効用が弱くなるという虞もある。
【０００５】
そこで、本発明においては、育毛剤や特別な育毛促進物質を使用することなく指圧効果により育毛を促進する育毛用枕を提供することを課題としている。
【０００６】
【課題を解決するための手段】
上記の課題を解決するために本発明の育毛用枕は、頭部が収納保持される凹部をもつ枕本体と、該凹部の表面に互いに間隔を隔てて立設された多数の指状指圧体と、を有することを特徴としている。
すなわち、本発明の育毛用枕は、睡眠時に枕の凹部に頭を載せて横臥姿勢を取るとき、凹部の表面に互いに間隔を隔てて立設された多数の指状指圧体が頭部の下半分にまんべんなく均等に当たり指圧効果を発揮する。
【０００７】
また、前記枕本体は硬質であることが望ましく、前記指状指圧体は少なくとも枕本体に対して傾動可能な軟質であることが望ましい。
枕本体を硬質の材質で構成して、頭部を支える多数の指状指圧体を軟質の部材で構成することにより、睡眠中に指状指圧体が適度の押圧力をもって頭部を指圧する効果が得られる。
【０００８】
また、前記指状指圧体は先端部分が三つ又状に分岐し、その先端が指圧端部となる三つ又指圧部分と該凹部の表面より突出し、該三つ又指圧部分を傾動自在に保持する基端部分とからなり、その基端部分は軟質とした構成のものもよい。
すなわち、指状指圧体の先端部分を三つ又状に分岐した指圧端部とすることで頭部に接触する指圧端部の数が多くなるので指圧の感覚が軟らかい感じとなる。
【０００９】
さらに、少なくとも頭部を支える支持面をもつ本体部と、該支持面に互いに間隔を隔てて多数立設された先端部分が三つ又状に分岐し、その先端が指圧端部となる三つ又指圧部分と該支持面より突出し、該三つ又指圧部分を傾動自在に保持する基端部分とからなる指圧部と、を有する構成のものでもよい。
本発明の育毛用枕は、前述のように枕本体部に頭部を収納保持する凹部が形成されておらず平面状となっている。
そして、その本体部は硬質の板状のものでもよいし、軟質のシート状のものでもよい。また、指圧部の基端部分は軟質とするのがよい。
本体部を硬質の板状としたものでは、本体部の支持面に立設された三つ又状の指圧部分が硬質の板上に均等に配置されているので特定の位置に頭が固定されることがなく、睡眠時などに頭の向きや位置を変えたり、寝返りをうつことが自然に行え、指圧効果がえられると共に安眠が妨げられることがない。
また、本体部が軟質のシート状のものは、通常の枕上に置いて使用することにより使い慣れた枕の感覚が得られると同時に指圧効果が期待できる。
【００１０】
【発明の実施の形態】
以下に図面に基づいて本発明の育毛用枕の実施の形態について実施例により説明する。
（実施例１）
図１は、本発明の実施例１の育毛用枕を斜め上方向からみた斜視図である。図２は、図１の育毛用枕の断面図である。
図１において、実施例１の育毛用枕９は木製の枕本体１の中央部分に凹部２が形成されていて、凹部２の表面には多数の指状指圧体３が間隔を隔てて立設されている。指状指圧体３は軟質の樹脂などの弾性部材で形成され、ほぼ等間隔で凹部２の表面に接着剤で固定されている。
実施例１の指状指圧体３は先端が丸みを帯びた指状で太さ１５ｍｍで、高さ１３ｍｍとしている。
図３は、実施例１の使用状態を示す断面図で仰向きの姿勢で頭部４を凹部２に載せることにより、指状指圧体３は弾性部材で形成されているので多数の指状指圧体３が一様に頭部に接触し、頭部を支えることとなる。
従って、睡眠中に頭部が多数の指状指圧体３の指圧効果により、頭部の血行が促進され育毛の効果がある。
図３は、仰向きの姿勢を示しているが睡眠中に寝返りなどで頭部が横になったりすることは指圧効果の点から好ましいことである。
なお、枕本体１の材質は木製としているがその他硬質の樹脂などであってもよい。
【００１１】
（実施例２）
実施例２の育毛用枕は、本発明の請求項４に係わるもので、図４にその斜視図を示す。枕本体１０と凹部２０の形状は実施例１と同様で枕本体１０の中央部分に凹部２０が形成されていて、凹部２０の表面には多数の指状指圧体３０が間隔を隔てて立設されている。
ただし、指状指圧体３０の形状は先端部分が三つ又状に分岐して指圧端部を形成している指圧体である。
指状指圧体３０は、図５に示すように指圧端部３２をその先端に持つ三つ又指圧部分３１と三つ又指圧部分３１を保持する基端部分３３からなっている。
基端部分３３は、三つ又指圧部分３１を保持すると同時に三つ又指圧部分３１が頭部に当接したとき適度の指圧効果を与えるように軟質の部材で構成されている。図６は図４の育毛用枕の断面図である。
【００１２】
（実施例３）
実施例３の育毛用枕は、本発明の請求項６及び７に係わるもので、図７に斜視図を示す。
図７に示すように板状の硬質部材からなる本体部４０の上に指圧体３０を等間隔で一様に立設したものである。指圧体３０は図５に示す先端が三つ又状に分岐して指圧端部３２を形成している指圧体を使用している。
実施例３の育毛用枕に頭部を載せて横臥するとき、頭の自重により頭の形状に従って浅い湾曲部が多数の指圧体上に形成されて頭部が納まり、指圧体３０により頭部に適度の指圧効果が施され育毛効果が期待できる。また、睡眠中に寝返り等で頭の位置や向きを変えることが容易であるという利点もある。
実施例３の育毛用枕の本体部４０は、厚さ５ｍｍの硬質の樹脂で形成していて、樹脂板上に指圧体３０の基端部分３３の下部を埋め込んで固定している。
なお、本体部４０は硬質の樹脂のほかに木板や金属板などでもよい。
【００１３】
（実施例４）
実施例４の育毛用枕は、本発明の請求項６及び８に係わるもので、図８に使用方法の１例を示している。
図８に示すように本体部４１は軟質のシートで形成されていて、シート上に指圧体３０を等間隔で一様に立設したものである。指圧体３０は図５に示す先端が三つ又状に分岐して指圧端部３２を形成している指圧体を使用している。
通常の枕５０上にこのシート状の育毛用枕９を載せた場合、本体部４１が軟質なので通常の枕５０に枕カバーのようにフィットする。そこで、育毛用枕９上に頭部を載せて就寝すれば、通常の使い慣れた枕なので安眠も得やすく、かつ、睡眠中に指圧体３０により頭部への指圧効果が得られ育毛の促進がなされる。
実施例４の本体部４１は、布地を使用しているが軟質のビニールシートなどでもよい。
【００１４】
【発明の効果】
以上説明したように、本発明の育毛用枕は、育毛用枕上に頭部を載せて横臥しているとき、特に睡眠中に枕本体に立設された多数の指状の指圧体が頭部を適度に押圧するので指圧効果が得られ、頭部の血行を促すことにより育毛促進の効果がある。
【図面の簡単な説明】
【図１】実施例１の育毛用枕の斜視図である。
【図２】図１の育毛用枕の断面図である。
【図３】図１の育毛用枕の使用例の説明図である。
【図４】実施例２の育毛用枕の斜視図である。
【図５】本発明の指状指圧体の説明図である。
【図６】図４の育毛用枕の断面図である。
【図７】実施例３の育毛用枕の斜視図である。
【図８】実施例４の育毛用枕の斜視図である。
【符号の説明】
１、１０：枕本体                                ３１：三つ又指圧部分
２、２０：凹部                                        ３２：指圧端部
３、３０：指状指圧体                            ３３：基端部分
４：頭部                                                    ４０、４１：本体部
５：床面                                                    ５０：通常の枕
９：育毛用枕
【図１】
2004321557.tif 000003
【図２】
2004321557.tif 000004
【図３】
2004321557.tif 000005
【図４】
2004321557.tif 000006
【図５】
2004321557.tif 000007
【図６】
2004321557.tif 000008
【図７】
2004321557.tif 000009
【図８】
2004321557.tif 000010